【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
遊技の制御を行う主制御手段と、その主制御手段により制御される遊技に伴った演出が行われる表示装置と、その表示装置で行われる演出の制御を行う表示制御手段と、その表示制御手段と主制御手段とに駆動電圧を供給する電源手段とを備えた遊技機において、
前記表示制御手段は、
前記遊技に伴った演出を行うための第１の表示情報があらかじめ記憶されると共に、その記憶された表示情報が読み出し可能に構成された第１記憶手段と、
前記第１の表示情報の少なくとも一部に対応した第２の表示情報が、その対応する表示情報に対して少ない情報量であらかじめ記憶されると共に、その記憶された第２の表示情報が読み出し可能に構成された第２記憶手段と、
前記電源手段により駆動電圧が供給されると、前記第１及び第２の表示情報を前記第１及び第２記憶手段からそれぞれ読み出す読出手段と、
その読出手段により読み出された第１及び第２の表示情報が記憶されると共に、書き込み及び読み出し可能に構成された第３記憶手段と、
前記電源手段により駆動電圧が供給された後に、前記表示装置で最初に行われる演出を前記第２の表示情報に基づいて行うと共に、その最初の演出以降の演出を前記第１の表示情報に基づいて行う演出実行手段とを備えていることを特徴とする遊技機。
【請求項２】
前記演出実行手段により行われる最初の演出は、前記第１記憶手段に記憶されている第１の表示情報が読み出されて前記第３記憶手段に記憶されるまでに有する時間より長い時間行われることを特徴とする請求項１記載の遊技機。
【請求項３】
前記主制御手段は、
前記表示装置で行われる演出のパターンが複数記憶されると共に、少なくとも前記最初の演出に対応した初回演出パターンが記憶されたパターン記憶手段と、
そのパターン記憶手段に基づいて前記表示装置で行われる演出を選択可能な選択手段と、
その選択手段により選択された結果をコマンドとして前記表示制御手段に送信可能な送信手段とを備え、
前記電源手段により駆動電圧が供給された後の最初の演出時は、前記パターン記憶手段から初回演出パターンが前記選択手段により選択され、その初回演出パターンに対応したコマンドが前記送信手段により前記表示制御手段に対して送信されることを特徴とする請求項１又は２に記載の遊技機。
【請求項４】
前記主制御手段は、
前記電源手段により駆動電圧の供給が開始されたことを記憶する電源供給記憶手段と、
前記選択手段により前記初回演出パターンが選択されると、前記電源供給記憶手段に記憶された内容を初期化する第１初期化手段とを備え、
前記選択手段は、前記電源供給記憶手段に駆動電圧の供給の開始が記憶されている場合に、前記初回演出パターンを選択するものであることを特徴とする請求項３記載の遊技機。
【請求項５】
前記表示制御手段は、
前記主制御手段から送信されたコマンドを受信する受信手段と、
その受信手段により受信されたコマンドが前記初回演出パターンに対応したコマンドであるかを判定する第１判定手段と、
その第１判定手段により前記初回演出パターンに対応したコマンドであると判定された場合に、前記表示装置で行われる演出が最初の演出であることを記憶する初回演出記憶手段と、
その初回演出記憶手段に前記最初の演出であることが記憶されているかを判定する第２判定手段とを備え、
前記演出実行手段は、前記初回演出記憶手段に最初の演出であることが記憶されていると前記第２判定手段により判定された場合に、前記表示装置で最初の演出を行うものであることを特徴とする請求項３又は４に記載の遊技機。
【請求項６】
前記表示制御手段は、
前記第２の表示情報に基づいた最初の演出が演出中であることを記憶する演出中記憶手段と、
前記演出実行手段により第２の表示情報に基づく最初の演出が開始された後に、前記演出中記憶手段に演出中であることが記憶されていない場合に、前記初回演出記憶手段に記憶された内容を初期化する第２初期化手段と、
前記第２判定手段により前記初回演出記憶手段に前記最初の演出であることが記憶されていないと判定された場合に、前記表示装置で行われる演出を第２の表示情報に基づく演出から第１の表示情報に基づく演出に切り替える切替手段とを備えていることを特徴とする請求項５記載の遊技機。
【手続補正２】
【補正対象書類名】明細書
【補正対象項目名】００１０
【補正方法】変更
【補正の内容】
【００１０】
この目的を達成するために請求項１記載の遊技機は、遊技の制御を行う主制御手段と、その主制御手段により制御される遊技に伴った演出が行われる表示装置と、その表示装置で行われる演出の制御を行う表示制御手段と、その表示制御手段と主制御手段とに駆動電圧を供給する電源手段とを備えるものであり、前記表示制御手段は、前記遊技に伴った演出を行うための第１の表示情報があらかじめ記憶されると共に、その記憶された表示情報が読み出し可能に構成された第１記憶手段と、前記第１の表示情報の少なくとも一部に対応した第２の表示情報が、その対応する表示情報に対して少ない情報量であらかじめ記憶されると共に、その記憶された第２の表示情報が読み出し可能に構成された第２記憶手段と、前記電源手段により駆動電圧が供給されると、前記第１及び第２の表示情報を前記第１及び第２記憶手段からそれぞれ読み出す読出手段と、その読出手段により読み出された第１及び第２の表示情報が記憶されると共に、書き込み及び読み出し可能に構成された第３記憶手段と、前記電源手段により駆動電圧が供給された後に、前記表示装置で最初に行われる演出を前記第２の表示情報に基づいて行うと共に、その最初の演出以降の演出を前記第１の表示情報に基づいて行う演出実行手段とを備えている。
【手続補正３】
【補正対象書類名】明細書
【補正対象項目名】００１１
【補正方法】変更
【補正の内容】
【００１１】
この遊技機の電源が投入されると、電源手段により駆動電圧が供給されて読出手段により第１及び第２の表示情報が読み出される。その読み出された第１及び第２の表示情報は第３記憶手段に記憶されるが、第２の表示情報が第１の表示情報に比べて情報量が少ないので、第２の表示情報の第３記憶手段への記憶が早期に完了される。そして、駆動電圧が供給された後の最初の演出は、第２の表示情報に基づいた演出が行われ、その最初の演出以降の演出は、第１の表示情報に基づいた演出が行われる。
請求項２記載の遊技機は、請求項１記載の遊技機において、前記演出実行手段により行われる最初の演出は、前記第１記憶手段に記憶されている第１の表示情報が読み出されて前記第３記憶手段に記憶されるまでに有する時間より長い時間行われるものである。
請求項３記載の遊技機は、請求項１又は２に記載の遊技機において、前記主制御手段は、前記表示装置で行われる演出のパターンが複数記憶されると共に、少なくとも前記最初の演出に対応した初回演出パターンが記憶されたパターン記憶手段と、そのパターン記憶手段に基づいて前記表示装置で行われる演出を選択可能な選択手段と、その選択手段により選択された結果をコマンドとして前記表示制御手段に送信可能な送信手段とを備え、前記電源手段により駆動電圧が供給された後の最初の演出時は、前記パターン記憶手段から初回演出パターンが前記選択手段により選択され、その初回演出パターンに対応したコマンドが前記送信手段により前記表示制御手段に対して送信される。
請求項４記載の遊技機は、請求項３記載の遊技機において、前記主制御手段は、前記電源手段により駆動電圧の供給が開始されたことを記憶する電源供給記憶手段と、前記選択手段により前記初回演出パターンが選択されると、前記電源供給記憶手段に記憶された内容を初期化する第１初期化手段とを備え、前記選択手段は、前記電源供給記憶手段に駆動電圧の供給の開始が記憶されている場合に、前記初回演出パターンを選択するものである。
請求項５記載の遊技機は、請求項３又は４に記載の遊技機において、前記表示制御手段は、前記主制御手段から送信されたコマンドを受信する受信手段と、その受信手段により受信されたコマンドが前記初回演出パターンに対応したコマンドであるかを判定する第１判定手段と、その第１判定手段により前記初回演出パターンに対応したコマンドであると判定された場合に、前記表示装置で行われる演出が最初の演出であることを記憶する初回演出記憶手段と、その初回演出記憶手段に前記最初の演出であることが記憶されているかを判定する第２判定手段とを備え、前記演出実行手段は、前記初回演出記憶手段に最初の演出であることが記憶されていると前記第２判定手段により判定された場合に、前記表示装置で最初の演出を行うものである。
請求項６記載の遊技機は、請求項５記載の遊技機において、前記表示制御手段は、前記第２の表示情報に基づいた最初の演出が演出中であることを記憶する演出中記憶手段と、前記演出実行手段により第２の表示情報に基づく最初の演出が開始された後に、前記演出中記憶手段に演出中であることが記憶されていない場合に、前記初回演出記憶手段に記憶された内容を初期化する第２初期化手段と、前記第２判定手段により前記初回演出記憶手段に前記最初の演出であることが記憶されていないと判定された場合に、前記表示装置で行われる演出を第２の表示情報に基づく演出から第１の表示情報に基づく演出に切り替える切替手段とを備えている。
【手続補正４】
【補正対象書類名】明細書
【補正対象項目名】００１２
【補正方法】変更
【補正の内容】
【００１２】
請求項１記載の遊技機によれば、第１の表示情報より情報量の少ない第２の表示情報による演出を、駆動電圧供給時の１回のみとすることができ、２回目の演出から情報量の多い第１の表示情報による演出を行うことができる。従って、表示装置において、第２の表示情報に基づく質の低い演出が継続して行われないので、遊技機の質が低下することを低減することができる。
【手続補正５】
【補正対象書類名】明細書
【補正対象項目名】００１３
【補正方法】変更
【補正の内容】
【００１３】
また、第２の表示情報が第１の表示情報に比べて早期に読み出しが完了されるので、表示装置における表示の開始を電源投入後、早期に行うことができる。よって、遊技機の電源投入直後に遊技者が遊技を開始した場合にも、表示装置での表示を早期に開始できる。
請求項２記載の遊技機によれば、請求項１記載の遊技機の奏する効果に加え、演出実行手段により行われる最初の演出は、第１記憶手段に記憶されている第１の表示情報が読み出されて第３記憶手段に記憶されるまでに有する時間より長い時間行われるので、第２の表示情報に基づいた最初の演出が行われている間に、第１の表示情報を第３記憶手段に記憶することができ、次の演出から第１の表示情報に基づいた演出を行うことができる。
請求項３記載の遊技機によれば、請求項１又は２に記載の遊技機の奏する効果に加え、電源手段による駆動電圧の供給後の最初の演出時には、選択手段により初回演出パターンが選択され、その初回演出パターンに対応したコマンドが送信手段により送信される。よって、遊技機の主な制御を行う主制御手段において、最初の演出であることを選択でき、その主制御手段から表示制御手段に送信される初回演出パターンに対応したコマンドに基づいて、表示制御手段により最初の演出を行えるので、最初の演出を正確に行うことができる。
請求項４記載の遊技機によれば、請求項３記載の遊技機の奏する効果に加え、主制御手段に駆動電圧の供給が開始されたことが電源供給記憶手段に記憶されるので、主制御手段に駆動電圧の供給開始がなされたことを正確に記憶することができる。その電源供給記憶手段に駆動電圧の供給開始が記憶されている場合に選択手段により初回演出パターンが選択されるので、表示制御手段は最初の演出を正確に行うことができる。
また、選択手段により初回演出パターンが選択されると、電源供給記憶手段の内容が第１初期化手段により初期化されるので、駆動電圧供給開始時の最初の１回のみ電源供給記憶手段に駆動電圧の供給開始が記憶される。よって、選択手段により初回演出パターンが選択されるのを、駆動電圧供給開始時の１回のみとすることができる。その結果、表示制御手段で行われる最初の演出を１回のみとすることができる。
請求項５記載の遊技機によれば、請求項３又は４に記載の遊技機の奏する効果に加え、第１判定手段により初回演出パターンに対応したコマンドであると判定されると、そのことが初回演出記憶手段に記憶される。その初回演出記憶手段に最初の演出であることが記憶されていると第２判定手段により判定されると、演出実行手段により最初の演出が行われる。よって、初回演出パターンに対応したコマンドを受信するタイミングと、演出実行手段により最初の演出を実行するタイミングとが異なる場合であっても、初回演出記憶手段の記憶内容を確認して最初の演出を行うことができる。従って、駆動電圧が供給開始された後の最初の演出を、第２の表示情報に基づく演出に確実にすることができる。
請求項６記載の遊技機によれば、請求項５記載の遊技機の奏する効果に加え、演出実行手段により第２の表示情報に基づく最初の演出が開始された後に、演出中記憶手段に演出中であることが記憶されてない場合に、初回演出記憶手段に記憶された内容が第２初期化手段により初期化される。また、切替手段は、初回演出記憶手段に最初の演出であることが記憶されていない場合に、第２の表示情報から第１の表示情報へ切り替えを行う。
ここで、例えば、遊技中の遊技者は、大当たりへの期待ができる演出か否かを確認するために表示装置の演出に集中する。そこで、遊技中に表示装置の演出が突然切り替わると、遊技者はその遊技機が故障したと思い遊技を中断する。しかし、遊技者が遊技を中断すると、遊技機の稼働率を低下させてしまうし、遊技機の故障は、遊技者に不快感を与えてしまう。
請求項６記載の遊技機によれば、切替手段は、初回演出記憶手段に最初の演出であることが記憶されていない場合に、第２の表示情報から第１の表示情報へ切り替えを行うので、第２の表示情報に基づいた演出が終了した後に、表示情報の切り替えを行うことができる。よって、演出の途中に突然表示が切り替わることを防止でき、遊技機の稼働率の低下を抑制できると共に、遊技者に不快感を与えることを低減できる。
【手続補正６】
【補正対象書類名】明細書
【補正対象項目名】０２５７
【補正方法】変更
【補正の内容】
【０２５７】
ここで、本実施の形態において、請求項１記載の遊技機の第１の表示情報を読み出す読出手段としては図２０のＳ１４０２の処理と図２３のＳ１６０２の処理と図２４のＳ１７０２の処理とが該当し、請求項１記載の遊技機の第２の表示情報に基づいて表示を行う演出実行手段としては図１８及び図２２のＳ１２０４の処理で簡易演出情報が演出データに設定された場合のＳ１２１１の処理に該当し、請求項１記載の遊技機の第１の表示情報に基づいて表示を行う演出実行手段としては図１８及び図２２のＳ１２１９の処理でキャラクタ情報が演出データに設定された場合のＳ１２１５の処理とＳ１２０６の処理とに該当し、請求項３記載の遊技機の選択手段としては図１０のＳ４０４，Ｓ４０６，Ｓ４０９，Ｓ４１１の処理が該当し、請求項３記載の遊技機の送信手段としては図８のＳ２０１の処理が該当し、請求項４記載の遊技機の第１初期化手段としては図１０のＳ４０５の処理とＳ４１０の処理が該当し、請求項５記載の遊技機の第１判定手段としては図１９のＳ１３０２の処理が該当し、請求項５記載の遊技機の第２判定手段としては図１８及び図２２のＳ１２１０の処理が該当し、請求項６記載の遊技機の切替手段としては図１８及び図２２のＳ１２１９の処理が該当し、請求項６記載の遊技機の第２初期化手段としては図１８及び図２２のＳ１２１８の処理が該当する。